(57)【要約】  二つの構造部品間、特にビルディングと突出外部部品との間の断熱目的の構造要素は、それら二つの構造部品間に配置される断熱体、及び圧力付与要素から少なくとも構成される補強要素から構成され、前記圧力付与要素は、設置状態での構造要素では、実質的に水平方向へ及び断熱体の実質的に水平方向の長手範囲に対して横方向へ前記断熱体を通り、前記二つの構造部品に対して少なくとも間接的に接続可能であり、圧力付与要素は、少なくともサブ領域において少なくとも間接的に圧力付与要素を囲む追加の要素を有し、圧力付与要素は消失性型（１）を使用して製造され、追加の要素は少なくとも部分的に消失性型で構成され、且つ追加の要素は二つ以上の部品で形成される。
2014525523.tif 000002
【特許請求の範囲】
【請求項１】
二つの構造部品間、特にビルディングと突出する外部部品との間の断熱用構造要素であり、前記二つの構造部品間に配置される断熱体、及び荷重支持要素を少なくとも含む補強要素を備え、前記荷重支持要素は、設置状態にある構造要素では、実質的に水平方向へ且つこの断熱体の実質的に水平方向の長手範囲を横切るように前記断熱体を通っており且つ少なくとも間接的に前記二つの構造部品に接続することができ、前記荷重支持要素が少なくとも部分領域において、少なくとも間接的に前記荷重支持要素を囲む追加の要素（１，１１）を有し、前記荷重支持要素が消失性型（１，１１ｂ，１１ｃ）を使用して製造され、追加の要素が少なくとも部分的に前記消失性型から構成される断熱用構造要素であって、前記追加の要素が二つ以上の部品で形成されることを特徴とする構造要素。
【請求項２】
前記消失性型（１，１１ｂ，１１ｄ）が二つ以上の部品で形成されることを特徴とする請求項１に記載の構造要素。
【請求項３】
前記消失性型（１）に加えて、前記追加の要素（１１）が少なくとも一つの更なる補足要素（１１ａ，１１ｃ）を有する少なくとも請求項１に記載の構造要素。
【請求項４】
前記消失性型に加えて、前記荷重支持要素は、更なる、特に再使用可能成形要素を使用して製造されることを特徴とする少なくとも請求項１に記載の構造要素。
【請求項５】
前記荷重支持要素は、特に、高強度又は超高強度コンクリートのようなコンクリート又は高強度又は超高強度モルタル等のセメント含有繊維強化ビルディング材料の、又は合成樹脂混合の、又は反応性樹脂の、硬化性及び／又は固化可能充填材料から形成されることを特徴とする少なくとも請求項１に記載の構造要素。
【請求項６】
前記荷重支持要素は、その端側部に前記構造部品に向かい合う接触プロファイルを有すること、及び前記追加の要素（１，１１）及び／又は前記型（１，１１ｂ，１１ｄ）は、前記接触プロファイルの領域において少なくとも間接的に前記荷重支持要素を囲むことを特徴とする少なくとも請求項１に記載の構造要素。
【請求項７】
前記追加の要素（１，１１）及び／又は前記型（１，１１ｂ，１１ｄ）は、特に、前記接触プロファイルの及び／又は断熱材料の領域においてＨＤポリエチレンで、及び特に前記接触プロファイルの外側の領域において、特にポリウレタンフォームから形成されることを特徴とする少なくとも請求項１に記載の構造要素。
【請求項８】
前記荷重支持要素は、その端側部に前記構造部品に向かい合い、垂直断面において及び／又は水平断面において凹状に又は凸状に湾曲される接触プロファイルを有すること、及び前記追加の要素（１，１１）及び／又は前記型（１，１１ｂ，１１ｄ）は、垂直断面において及び／又は水平断面において前記接触プロファイルに形状が互いに反対の位置で適合する凹状に又は凸状に湾曲された力導入表面（４ａ乃至４ｄ，２４）を有することを特徴とする少なくとも請求項１に記載の構造要素。
【請求項９】
前記追加の要素（１，１１）及び／又は前記型（１，１１ｂ，１１ｄ）は、少なくとも部分的に射出成形又は二つ以上の材料の共押出成形によって製造されることを特徴とする少なくとも請求項１に記載の構造要素。
【請求項１０】
前記追加の要素（１，１１）及び／又は前記消失性型（１，１１ｂ，１１ｄ）は、二つ以上のコンポーネント（４，５ａ乃至５ｄ，２４，２５ａ，２５ｂ）のアセンブリによって形成され、そのアセンブリは、特に、密着するように及び／又は接着剤ボンディングのような接合方法によって及び／又は前記追加の要素及び／又は前記型へ充填された前記荷重支持要素材料によって行われることを特徴とする少なくとも請求項１に記載の構造要素。
【請求項１１】
材料、機能及び／又は位置に関して互いに対応する、前記追加の要素の及び／又は前記型の二つのコンポーネントは、接続要素を介して互いに接続されることを特徴とする少なくとも請求項１０に記載の構造要素。
【請求項１２】
二つの隣接する荷重支持要素は、共通の追加の要素（１，１１）及び／又は共通の型（１）を有することを特徴とする少なくとも請求項１に記載の構造要素。
【発明の詳細な説明】
【技術分野】
【０００１】
本発明は、請求項１の序文に従う断熱用構造要素に関する。
【背景技術】
【０００２】
そのような断熱用構造要素は、例えば、欧州特許出願公開第１２２５２８２号明細書（特許文献１）から既知であり、ここで、追加の要素は、コンクリート製の荷重支持要素用の消失性（ロスト）型で構成されている。一方、この型は、コンクリートが充填されて、そのコンクリートが断熱用構造要素内に一緒に挿入されるプラスチックシェルを備え、それによって、設置状態における型は、全ての側面で、即ち、接触構造部品に向かい合うその端側部でコンクリート荷重支持要素を囲む。これは、その端側部のこの領域での型がコンクリート荷重支持要素のための滑り層を形成し、従って、荷重支持要素と接触構造部品との間に生じる相対移動を妨げず、向上された滑り特性によってそれらの移動を促進する目的で使用され得る。
【０００３】
しかしながら、記述された従来の技術の変更では、追加の要素は、荷重支持要素を製造するための型の形状に関してできる限り対応する滑り体より構成されることも可能であるが、荷重支持要素の実際の製造、即ち、鋳造品には含まれていなかった。しかしながら、滑り移動にとって重要な部品領域において型と同じ形状であることにより、滑り体がその全ての領域にわたって荷重支持要素を支え、型と同じ最適化された滑り特性を実質的に利用可能であることが保証される。これに関して、従来の技術は、各々が同様に少なくとも部品領域で荷重支持要素を囲み、断熱用構造要素内に荷重支持要素と共に設置される消失性型又は滑り体で構成される追加の要素を開示している。
【０００４】
コンクリート荷重支持要素を囲み且つその荷重支持要素の形状に適合する消失性型又は滑り体で構成され得るプラスチック層と共に設置されるそのようなコンクリート荷重支持要素の使用が、一方では、証明されている。
【先行技術文献】
【特許文献】
【０００５】
【特許文献１】欧州特許出願公開第１２２５２８２号明細書
【発明の概要】
【発明が解決しようとする課題】
【０００６】
これを出発点として、本発明は、初めに述べたタイプの断熱用構造要素を更に向上する、特に構造要素の使用に関してその構造要素及び断熱特性を最適化するとの目的に基づく。
【課題を解決するための手段】
【０００７】
この目的は、請求項１の特徴を有する断熱用構造要素によって本発明に従って達成される。
【０００８】
本発明の有利な展開は、いずれの場合にも、文章の不必要な繰り返しを避けるために、表現が明細書中の表現参照によってここに組み込まれる従属の請求項の主題である。
【０００９】
本発明に従って、追加の要素は、二つ以上の部品で形成され、それによってモジュール構成が可能となり、このモジュール構成によって、夫々の荷重支持要素部品領域に存在する要求に正確に適合され得る。
【００１０】
モジュール構成は、本発明に従って利点を達成するのに必須である。この意味で、表現「二つ又は多数の部品構造」は、追加の要素が異なる特性、特に材料特性を有する部品又は部品領域を有するとの意味で理解されるべきである。従って、表現「部品」は、物理的に独立したユニットとして理解されるべきでなく、追加の要素の部品（領域）として理解されるべきである。追加の要素が二つ以上の材料から一個のものに製造されるべきであったとしても、このことは、本発明に従うモジュール構成と合致し、本発明の意味では、二つ以上の部品を意味するものとして考えられる。
【００１１】
モジュール構成は、特に、追加の要素が、対応する部品領域、従って、例えば、滑り特性を向上するために力伝達に必須の端側部、又は、例えば、断熱特性を向上するため又は例えば、断熱体における良好な位置固定や移動性のために荷重支持要素の側方、その上方及び／又は下方に位置する部品領域、において荷重支持要素へ働く時に、本発明に従ってその利点を表す。しかしながら、ここでは、追加の要素又は型が関連する荷重支持要素に直接的には働かないが、例えば、別個のフィルムが介在して間接的にのみ働くことも本発明の範囲に含まれる。
【００１２】
本発明に従う二つ又は多数の部品構造の場合、従来の技術の証明された利点、即ち、消失性型を使用しての荷重支持要素の製造は、更に一層最適化され得る。追加の要素が二つ以上の部品で形成される場合、例えば、重要な部品領域において最適化された滑り特性を有する消失性型を有することができ、及び、対応して、他の部品領域では、最適化された断熱特性を有することのという要求に適合され得る。
【００１３】
二つ又は多数の部品からなる追加要素の本発明に従う利点は、種々の方法で達成され得る。従って、消失性型に加えて、追加の要素は、好ましくは、荷重支持要素の製造、即ち、鋳造物とは関連が無い少なくとも一つの更なる補足要素を有することができる。この補足要素は、例えば、特に、例えば、発泡ポリウレタンやポリスチレン等の断熱材料から製造することができる。
【００１４】
しかしながら、同様に、消失性型自体が二つ以上の部品で形成されることも可能である。ここでは、モジュール構成の上述の原理を、型に適用することができ、その型の部品領域を、設置された状態で夫々の要求に合わせることができる。これは、追加の要素が（多部品）消失性型のみで構成される場合、及び（多部品）消失性型に加えて、更なる補充要素が設けられる場合の両方で可能である。
【００１５】
消失性型に加えて、荷重支持要素が、更なる、特に、再使用可能成形要素を使用して製造される場合、更に有利である。成形要素は、荷重支持要素の製造に含まれるが、成形要素は、続いて荷重支持要素から除去される。成形要素の更なる使用は、荷重支持要素自体には重要ではなく、従って、例えば、成形要素は、更なる荷重支持要素の製造のために再使用可能である。しかしながら、荷重支持要素からの除去中に破壊される成形要素も、着想される。
【００１６】
例えば、荷重支持要素は、接触構造部品に対する相対移動を実行する又はそれに従う必要がある場合、荷重支持要素と構造部品との間の支持領域における追加の要素及び／又は型は、滑り層や滑りプレートの形態でそれ自体周知の滑り要素のように形成されるならば、推奨され、追加の要素及び／又は型は、例えば、この部品領域におけるＨＤポリエチレンから形成され得る。
【００１７】
対照的に、滑り層の介在を必要とする非相対移動は、一般的に、荷重支持要素の横表面の断熱体の領域で起こり、代わりに、断熱体のこれらの横領域において重要なのは、特に良好な断熱特性であり、その結果、追加の要素及び／又は型は、断熱材料、特にポリウレタンやポリスチレンフォームから形成され得る。上述のＨＤポリエチレンの上述の滑り要素が一端側部から他端側部へ全断熱体領域に亘って延出すると、それによって、熱橋又は冷橋が形成され、結果、追加の要素及び／又は型によって利用可能とされる断熱特性は、追加の要素及び／又は型が断熱体の領域における断熱材料で構成される本発明に従う上述の場合よりもかなり好ましくない。
【００１８】
ここで、一方では、追加の要素及び／又は型は、例えば、射出成形や異なる材料の共押出成形のような共通の成形方法によって製造され得、それによって、例えば、カップ形状に形成可能な均一な自己閉鎖体を形成する。他方、追加の要素及び／又は型は、異なるコンポーネントのアセンブリによっても形成可能であり、このアセンブリは、例えば、密着するように又は接着剤ボンディングのような接合方法によって行われ得る。しかしながら同様に、即ち、荷重支持要素材料が硬化し固まり、荷重支持要素材料に接着する型のコンポーネントを支持する場合、アセンブリが荷重支持要素材料自体によっても行われ得る。
【００１９】
この明細書において、材料、機能及び／又は位置に関して互いに対応する追加の要素や型の二つ以上のコンポーネントは、接続要素を介して互いに接続されると、一層有利である。従って、換言すれば、コンポーネントが荷重支持要素と接触構造部品との間の相対移動を吸収する端部に配置された二つのコンポーネントが共通の接続要素を介して互いに接続され得、それによって確実に、この接続要素がこれら二つのコンポーネントの間隔を事前決定し、型中に製造される荷重支持要素の長さを直ちに画定する。
【００２０】
また、二つの隣接する荷重支持要素が共通の型を有し、結果、既述のモジュール構造がより大きな荷重支持要素ユニットが形成され得る程度まで最適化され、それによって含まれるそれらのユニットのサイズと荷重支持要素の数のために型の安定性を向上することも、本発明の範囲に含まれる。
【００２１】
本発明の更なる特徴と利点は、図面を参照する例示の実施形態の以下の記述から明らかになる。
【図面の簡単な説明】
【００２２】
【図１ａ】本発明に従う断熱用構造要素の型を有する追加の要素を示し、図１ｂの平面Ｂ−Ｂに沿った水平断面図である。
【図１ｂ】本発明に従う断熱用構造要素の型を有する追加の要素を示し、垂直断面図である。
【図１ｃ】本発明に従う断熱用構造要素の型を有する追加の要素を示し、図１ｂの平面Ａ−Ａに沿った水平断面図である。
【図１ｄ】本発明に従う断熱用構造要素の型を有する追加の要素を示し、斜視平面図である。
【図２】斜視側面図で本発明に従う断熱用構造要素の追加の要素を示す図である。
【発明を実施するための形態】
【００２３】
図１は、例えば、“Ｉｓｏｋｏｒｂ（登録商標）ｗｉｔｈ  ＨＴＥ  ｍｏｄｕｌｅ”の名で市販されている断熱用構造要素（図示せず）用の合計二つのコンクリート荷重支持要素（図示せず）を形成する型１で構成される追加の要素を描いている。その型は、荷重支持要素用の二つのキャビティ２，３を囲み、これらのキャビティは、型１の対応する壁に囲まれる：キャビティ２，３は、水平断面において括れを有する、即ち、全長に亘って（自由端で幅広であり、括れた中央領域で狭い）幾分幅が変化する細長いデザインのものであり、それらの終端では、荷重支持要素の端側部を形成する端側部２ａ，２ｂ又は３ａ，３ｂは、滑り要素４を有し、これらの滑り要素４は、設置状態では、一方では荷重支持要素と他方では接触構造部品との間に支持領域を形成し、従って、特にギャップに沿う水平方向における荷重支持要素と接触構造部品との間の相対移動を吸収する。
【００２４】
図１に描かれている型は、中に製造される荷重支持要素がそれらの端側部に、構造部品に向かい合い、水平断面において凹状に湾曲する接触プロファイルを有するように設計され、次に、型は、水平断面においてこの端側部４の領域に接触プロファイルへ互いに反対の位置で形状が適合する凸状湾曲力導入表面４ａ，４ｂ，４ｃ，４ｄを有する。
【００２５】
滑り要素４の外側にある横荷重支持要素領域において、型１の壁は、ポリウレタンフォームの断熱材料から形成される。これらの断熱コンポーネントは、幾分括れた荷重支持要素形状に従って、一端部の滑り要素４から反対側端部の滑り要素４へ断熱体平面を貫通して幾分湾曲するように延出し、僅かに湾曲した側壁５ａ，５ｂ，５ｃ，５ｄを形成する。
【００２６】
型１において製造されるコンクリート荷重支持要素の相互に反対側端側に配置される二つの滑り要素４，４は、共通のバー形状接続要素（図面には示されていない）を介して接続され、結果、接続要素は、関連する荷重支持要素の長さを事前決定する。同様に、一方の相互に反対側の側壁５ａ，５ｂ及び他方の相互に反対側の側壁５ｃ、５ｄは、型のポリウレタンフォーム下側７ａ，７ｂの形状の接続要素を介して互いに接続され、結果、型中に製造される荷重支持要素の幅は事前決定され、側壁の間隔がコンクリート材料の充填中にコンクリート材料の圧力によって変化されることなく維持される。
【００２７】
型１中に製造される荷重支持要素は、異なる機能を有する領域を有すること、従って、これらの領域を製造するための型は、その型が荷重支持要素と共に断熱用構造材料内に設置され同様に対応する機能をそこで実行する際、それに適合する壁を有するように構成されなければならないことが図面から容易に理解される。ここで、例えば、接触構造部品への又はそれからの力導入と力伝達のために働く荷重支持要素の端側部の領域において、型の端側部４の壁、即ち、力導入表面４ａ，４ｂ，４ｃ，４ｄは、従って、滑り特性に関して最適化されるべきであり、他方、力伝達に関して重要ではない横型側壁５ａ乃至５ｄは、断熱特性に関して断熱体の領域において最適化され得る。
【００２８】
このように、図１に従う例示の実施形態では、追加の要素が消失性型からのみ構成されるが、追加の要素は、型が異なる材料から製造される力導入表面４ａ，４ｂ，４ｃ，４ｄ及び側壁５ａ乃至５ｄで構成されるので、全体として多部品構造である。
【００２９】
図２は、図２には描かれていないコンクリート荷重支持要素と共に、同様に図２には描かれていない本発明に従う断熱用構造要素において使用される追加の要素１１を描いている。このため、荷重支持要素は、キャビティ１２内に配置される。図１に従う実施形態に比べると、追加の要素１１は、消失性型のみならず、合計４つの部品１１ａ，１１ｂ，１１ｃ及び１１ｄ、即ち、二つの消失性型１１ｂと１１ｄ及び二つの補足要素１１ａと１１ｃから構成される。型１１ｂと１１ｄは、それらの滑り特性に関して選択され、設計される追加の要素１１の端側部２４の領域に設けられる。対して、補足要素１１ａと１１ｃは、材料と形状が最適化断熱特性に関して選択される追加の要素の側壁２５ａと２５ｂを構成する。
【００３０】
型は荷重支持要素の製造において成形容量内に含まれ、一般的に製造後断熱用構造要素の設置まで荷重支持要素上に残るが、補足要素は、荷重支持要素の製造後にのみ取付けられる。荷重支持要素の製造中、再使用可能成形要素は、一般的に、荷重支持要素の横部品領域に設けられる。これらの再使用可能成形要素は、荷重支持要素の製造後に除去されて、更なる荷重支持要素の製造に再使用される。
【００３１】
要約すれば、本発明は、特にコンクリート材料から形成される荷重支持要素の製造のための最適化型を利用可能とする利点があり、その型は、各機能に適合する異なる材料で構成される異なる機能を有する部品領域を有し、それによって、結果、一方では移動性や移動の吸収及び他方では断熱特性に関して先の設計に対して向上される、周囲の型を有する荷重支持要素が利用可能とされる。
【図１ａ】
2014525523.tif 000003
【図１ｂ】
2014525523.tif 000004
【図１ｃ】
2014525523.tif 000005
【図１ｄ】
2014525523.tif 000006
【図２】
2014525523.tif 000007
【国際調査報告】
2014525523.tif 000008
2014525523.tif 000009
2014525523.tif 000010
2014525523.tif 000011
2014525523.tif 000012
2014525523.tif 000013